(57)【要約】【課題】  ２画面表示時など複数画面表示持に適切なコピー制御処理を行うことの可能な映像処理装置を提供する。【解決手段】  コピー制御情報を有する複数の動画コンテンツをそれぞれ縮小して１つの表示画面に合成して合成映像信号を出力する映像処理装置において、複数の動画コンテンツ間で、あらかじめ定めた優先順位を有するコピー制御情報を比較して、優先順位が異なる場合は、合成映像信号に、比較したコピー制御情報中の優先順位が最も高いコピー制御情報を付加して（ステップ304、305）出力し、比較の結果、優先順位がすべて同一の場合は、合成映像信号に、同一の優先順位のコピー制御情報を付加して出力する。【選択図】  図３
2006074362.tif 000002
【特許請求の範囲】
【請求項１】
コピー制御情報を有する複数の動画コンテンツをそれぞれ縮小して１つの表示画面に合成して合成映像信号を出力する映像処理装置において、
前記複数の動画コンテンツ間で、あらかじめ定めた優先順位を有する前記コピー制御情報を比較して、優先順位が異なる場合は、前記合成映像信号に、比較した前記コピー制御情報中の優先順位が最も高いコピー制御情報を付加して出力し、前記比較の結果、優先順位がすべて同一の場合は、前記合成映像信号に、前記同一の優先順位のコピー制御情報を付加して出力することを特徴とする映像処理装置。
【発明の詳細な説明】
【技術分野】
【０００１】
本発明は、動画コンテンツを表示する装置に関し、特に複数の動画コンテンツをそれぞれ縮小して１つの表示画面に合成して出力する映像処理装置の改良に関する。
【背景技術】
【０００２】
近年、衛星TV放送や地上TV放送などがデジタル化され、その受信機もその両方が受信できるものも多く存在する。その受信機の中には、下記の特許文献１に記載されるように複数の番組を同時に表示する受信機もあり、多彩な形態でユーザが視聴できる環境となった。その一方、放送で送られるコンテンツ（特に、デジタル化されたコンテンツ）の著作権を保護することも重要な課題の１つとなっている。
【特許文献１】特開２０００−２０９５２１号公報（図６、要約）
【発明の開示】
【発明が解決しようとする課題】
【０００３】
従来のデジタル放送では、著作権保護に関して、有料放送等限られた放送でコピー制御情報を送信していたが、近年はすべての番組でコピー制御情報を送り、コピーの制限をかける方向となっている。このようなコピー制御がかかった番組を２画面で見るときに、その２つのコピー制御情報が異なるときにどのようなコピー制御をするかが課題であった。そこで本発明は、２画面表示時など複数画面表示時に適切なコピー制御処理を行うことの可能な映像処理装置を提供することを目的とする。
【課題を解決するための手段】
【０００４】
上記目的を達成するため、コピー制御情報を有する複数の動画コンテンツをそれぞれ縮小して１つの表示画面に合成して合成映像信号を出力する映像処理装置において、
前記複数の動画コンテンツ間で、あらかじめ定めた優先順位を有する前記コピー制御情報を比較して、優先順位が異なる場合は、前記合成映像信号に、比較した前記コピー制御情報中の優先順位が最も高いコピー制御情報を付加して出力し、前記比較の結果、優先順位がすべて同一の場合は、前記合成映像信号に、前記同一の優先順位のコピー制御情報を付加して出力するよう構成した。
【発明の効果】
【０００５】
本発明によれば、２画面表示時などの複数画面表示時に、表示される複数番組のコピー制御情報が異なるときは、例えば「コピー禁止」、「１回のみコピー可」、「コピーフリー」という優先順位をつけ、優先順位の高いコピー制御情報に基づき、コピー制御処理を行うことによって、番組の不正なコピーを防止する効果を得ることができる。
【発明を実施するための最良の形態】
【０００６】
本発明の映像処理装置の好ましい実施の形態を図を用いて説明する。図１は、本発明の映像処理装置の好ましい実施の形態のブロック図である。BSデジタルNIM制御ブロック102と地上デジタルNIM制御ブロック103は、アンテナ101より受信した信号を復調して番組データのトランスポートストリーム(TS)を出力する。なお、アンテナ101は、BSデジタル用のアンテナと、地上デジタル用のアンテナが別個に設けられているものを、便宜上、単一のアンテナとして示したものである。IEEE1394制御ブロック104は、D-VHS105よりIEEE1394規格で入力された番組データのトランスポートストリーム(TS)を出力する。なお、ここまでに説明した要素は、本発明の映像処理装置の一部として捉えることもできるが、これらの要素は映像コンテンツを提供するものであり、本発明の映像処理装置に必須の要素ではない。
【０００７】
全体制御ブロック108は、各番組データのトランスポートストリーム(TS)を第１デコーダブロック106と、第２デコーダブロック107のどちらに入力するかを選択する。２つのデコーダブロック106、107は、デマルチプレクサ及びＡＶデコーダの機能を併せ持つデコーダブロックである。例えば、第１デコーダブロック106には、BSデジタル、第２デコーダブロック107には地上デジタルの番組データのトランスポートストリーム(TS)が入力されるように設定する。これらのデコーダブロック106、107は、それぞれ入力された番組データのトランスポートストリーム(TS)をデコードし、映像を画面合成ブロック109に出力する。画面合成ブロックは、２つの映像を図２のようにそれぞれ縮小して、１つの画面に合成すべく合成映像信号を生成して出力する。画面合成ブロック109から出力された映像（合成映像信号）に対して、コピー制御ブロック110は全体制御ブロック108から指示されたコピー制御設定に基づきコピー制御信号を画面映像に合成して、最終的に画面出力、録画出力として外部に出力する。
【０００８】
図３は、図１に示した本発明の実施の形態における全体制御ブロックの動作を示す処理フローである。各ＡＶデコーダブロックの入力の切り替えによる入力設定（ステップＳ301）、各ＡＶデコーダブロックヘの再生開始指示（ステップＳ302）、画面合成ブロックに２画面表示の設定（ステップＳ303）をした後、各ＡＶデコーダブロックからコンテンツのコピー制御情報を取得する（ステップＳ304）。この情報は、番組データのトランスポートストリーム(TS)のPMTというテーブル情報内にデジタルコピー制御記述子というものがあるので、これを読み取ることにより取得する。デジタルコピー制御記述子には、「コピー禁止」、「１回のみコピー可」、「コピーフリー」というコピーの制限種類（コピー条件）が指定されているものとする。なおこのような３段階のコピー制限種類のみならず、例えば「２回のみコピー可」や「所定の条件付きで１回のみコピー可」など、他の種類の条件をも含めてもよい。
【０００９】
これらのコピー制限種類（コピー条件）には、あらかじめ優先順位が付けられている。すなわち、「コピー禁止」、「１回のみコピー可」、「コピーフリー」の３段階の場合では、コピー禁止＞１回のみコピー可＞コピーフリーというように次第に優先順位が下がるような優先順位が付けてある。この条件を２つの番組データのトランスポートストリーム(TS)間で比較する。条件が一致したときは、そのまま使うが、異なっている場合は、より優先順位の高い(厳しい条件)コピー制御情報を基に画面出力にコピー制御信号をかけるよう設定する（ステップＳ305）。具体的には、例えば２つの番組データのトランスポートストリーム(TS)のコピー条件がいずれも「１回のみコピー可」であれば、コピー条件として「１回のみコピー可」を設定する。また、一方の番組データのトランスポートストリーム(TS)のコピー条件が「コピー禁止」であり、他方の番組データのトランスポートストリーム(TS)のコピー条件が、「コピーフリー」であるときは、厳しい方の条件である「コピー禁止」を設定する。
【００１０】
上記実施の形態は、２種類のコンテンツにより２つの動画を１つのラスタに合成する場合を例にとって説明したが、特許文献１に記載されているように３以上のコンテンツによる３以上の動画を同時に１つのラスタに合成して表示する場合にも本発明は適用可能である。
【産業上の利用可能性】
【００１１】
以上説明したように、本発明の映像処理装置では、コピー制御情報を有するデジタル化された複数の動画コンテンツをそれぞれ縮小して１つの表示画面に合成して出力するに際し、複数の動画コンテンツ間でコピー制御情報の優先順位が異なる場合は、合成された表示画面の映像信号に、優先順位が最も高いコピー制御情報を付加して出力するので、その後のコンテンツの有効な保護を図ることができ、よって、本発明は放送などにより得られる動画コンテンツのコピー管理を行う映像機器、受信装置、映像処理装置などの分野で有用である。
【図面の簡単な説明】
【００１２】
【図１】本発明の映像処理装置の実施の形態を示すブロック図である。
【図２】図１の実施の形態における合成画像出力画面（ラスタ）の一例である。
【図３】図１の実施の形態における全体制御ブロックの処理フローである。
【符号の説明】
【００１３】
１０１  アンテナ
１０２  BSデジタルNIM制御ブロック
１０３  地上デジタルNIM制御ブロック
１０４  IEEE1394制御ブロック
１０５  D-VHS
１０６  第１（DEMUX & AV）デコーダブロック
１０７  第２（DEMUX & AV）デコーダブロック
１０８  全体制御ブロック
１０９  画面合成ブロック
１１０  コピー制御ブロック
２０１  ２画面表示時の画面構成を示すラスタ
【図１】
2006074362.tif 000003
【図２】
2006074362.tif 000004
【図３】
2006074362.tif 000005